(57)【要約】【課題】屋内構造物に開設した点検口に取り付ける蓋として違和感がなく、かつ取り扱いがしやすいスピーカー付き点検蓋を提供する。【解決手段】本スピーカー付き点検蓋２０は、屋内構造物（天井部５）に開設した点検口１０に取り付けられる点検蓋である。スピーカー付き点検蓋２０の蓋本体２１には、振動板３１が室内空間を向くように平面スピーカー３０が組み込まれている。【選択図】図１
2016156239.tif 000002
【特許請求の範囲】
【請求項１】
屋内構造物に開設した点検口に取り付けられるスピーカー付き点検蓋であって、
蓋本体には、振動板が室内空間を向くように平面スピーカーが組み込まれていることを特徴とするスピーカー付き点検蓋。
【請求項２】
請求項１において、
前記屋内構造物は天井部であり、
前記蓋本体が非正円形状とされる、スピーカー付き点検蓋。
【請求項３】
請求項１または２において、
前記平面スピーカーは前記蓋本体の蓋面全体が振動する、スピーカー付き点検蓋。
【請求項４】
請求項３において、
前記蓋本体の蓋面は、前記蓋本体の周囲の天井面とほぼ面一に形成されている、スピーカー付き点検蓋。
【発明の詳細な説明】
【技術分野】
【０００１】
本発明は、屋内構造物に開設した点検口に取り付けられるスピーカー付き点検蓋に関する。
【背景技術】
【０００２】
近時、浴室の天井部に設けた点検口の点検蓋にスピーカーを組み込む技術が提案されている（たとえば、特許文献１参照）。同文献のスピーカー付き点検蓋は、コーン紙を振動板として用いたスピーカーが防水、防滴処理されて蓋本体に埋め込み固定されたものである。
【先行技術文献】
【特許文献】
【０００３】
【特許文献１】特許第３５２８７６７号公報
【発明の概要】
【発明が解決しようとする課題】
【０００４】
しかしながら、コーン状のスピーカーを点検蓋に取り付ける場合、そのような点検蓋を天井部に違和感なく配設するためには、スピーカーを室内に向けむき出して配置することは美感上、適切ではない。また、スピーカーにカバーを取り付ければよいが、カバーにより点検蓋としては不自然な形状となるおそれもある。さらに、蓋本体に大きめのコーン紙を取り付けようとすれば、当然に点検蓋の奥行き寸法（厚さ寸法）も大きくなるため、点検蓋の取り外し、取り付けがしにくくなるおそれもある。
【０００５】
本発明は、このような事情を考慮して提案されたもので、その目的は、屋内構造物に開設した点検口に取り付ける蓋として違和感がなく、かつ取り扱いがしやすいスピーカー付き点検蓋を提供することにある。
【課題を解決するための手段】
【０００６】
上記目的を達成するために、本発明のスピーカー付き点検蓋は、屋内構造物に開設した点検口に取り付けられるスピーカー付き点検蓋であって、蓋本体には、振動板が室内空間を向くように平面スピーカーが組み込まれていることを特徴とする。
【発明の効果】
【０００７】
本発明のスピーカー付き点検蓋によれば、上述の構成となっているため、屋内構造物に開設した点検口に取り付ける蓋として違和感がない。また、蓋に組み込まれたスピーカーが平面スピーカーであるため、奥行き方向にかさばらず、平面スピーカーの振動板の平面が大きくなったとしても、取り外し、取り付けなどの取り扱いがしにくくなるおそれはない。
【図面の簡単な説明】
【０００８】
【図１】本発明の一実施形態に係るスピーカー付き点検蓋の設置態様例（浴室設置例）を示す斜視図および部分拡大模式縦断面図である。
【図２】スピーカー付き点検蓋の一例の説明図であり、（ａ）は同点検蓋の平面図（浴室天井部面に表れる面）、（ｂ）は同点検蓋の取付状態を示す縦断面図である。
【図３】スピーカー付き点検蓋の他の例の説明図であり、（ａ）は同点検蓋の平面図（浴室天井部面に表れる面）、（ｂ）は同点検蓋の取付状態を示す縦断面図である。
【図４】（ａ）は点検蓋の出し入れ手順を示す斜視図、（ｂ）は同拡大平面図（浴室天井部を見上げた状態）である。
【図５】（ａ）（ｂ）は、スピーカー付き点検蓋の他の２例を示す平面図である。
【発明を実施するための形態】
【０００９】
以下に、本発明の一実施形態に係るスピーカー付き点検蓋（以下、点検蓋と略す）の種々の例について、添付図面を参照しながら説明する。まず、各例の点検蓋２０、２０・・・の概略基本構成について説明する。
【００１０】
本点検蓋２０は、屋内構造物に開設した点検口１０に取り付けられる点検蓋である。蓋本体２１には、振動板３１が室内空間を向くように平面スピーカー３０が組み込まれている。
【００１１】
本点検蓋２０はこのような構成となっているため、天井部５などの屋内構造物に開設した点検口１０に取り付ける蓋として違和感がない。また、蓋に組み込むスピーカーが平面スピーカー３０であるため、点検蓋２０の天井裏側への奥行き寸法（厚さ寸法）を小さくできる。そのため、点検蓋２０の取り外し、取り付けなどの取り扱いがしやすい。また、平面スピーカー３０は点検蓋２０に組み込まれているので、スピーカーの取り付けのためだけに屋内構造物を加工する必要がなく、取り付けの手間を省くことができ、施工の容易化を図ることができる。
【００１２】
このような点検蓋２０が取り付けられる点検口１０としては、建物内の天井部５や壁部４、床部などの屋内構造物に開設したものが想定される。以下では、浴室１の天井部５の点検口１０に取り付けられる点検蓋２０について説明する（図１参照）。
【００１３】
図１に示した浴室１は、洗い場２に隣接するように、ドア３の対面の壁部４側に浴槽９が配設され、その壁部４の隣の壁部４側にはミラーとシャワー設備が設けられている。
【００１４】
浴室１の天井部５には、室内灯６が配設され、その近傍に天井裏へ入るための点検口１０が開設されている。その点検口１０には点検蓋２０（図中のクロスハッチングを付した部位）が設けられている。この点検口１０は楕円形状であり、同様の楕円形状の点検蓋２０が取り外し可能に取り付けられている（図２（ａ）、図３（ａ）参照）。
【００１５】
点検口１０の開口縁の天井板の裏には、点検蓋２０を設置する設置部１１が設けられている。この設置部１１には点検蓋２０の全周に設けたフランジ部２３が載置され、フランジ部２３に周囲を囲まれた蓋板部２２により点検口１０が閉ざされるようになっている。なお、フランジ部２３は蓋本体２１の蓋板部２２と段差のある形状とされ、点検蓋２０を正しく設置すれば蓋板部２２が天井裏側より点検口１０に嵌合するため、点検蓋２０を上方に移動させない限り蓋本体２１が横ずれするおそれはない。
【００１６】
この点検蓋２０は、図１の拡大図に示すように、平面スピーカー３０の平板状の振動板３１を含んで形成された蓋板部２２と、蓋板部２２の裏側に配されたスピーカー用の磁気回路３４を含む回路部３３とを主たる構成部として含んで構成されている。回路部３３は、天井部５の裏側に配設された増幅器８と電気的に接続されている。この平面スピーカー３０の詳細構成については、以下の各形態例の説明とともに後述する。
【００１７】
この平面スピーカ３０ーは、浴室１内で音情報を楽しむための音響装置の一装置部材である。浴槽７に隣接した壁部４には、音響装置を操作するための操作パネル１３が設けられている。操作パネル１３は、音響装置と、天井部５や壁部４の裏側に通した配線を介して接続してもよいし、無線で接続できるようにしてもよい。
【００１８】
ついで、蓋本体２１に平面スピーカー３０を組み込んでなる点検蓋２０の種々の形態例について、図２〜図５の各図を参照しながら説明する。なお、図２および図３に示した例は、蓋板部２２のほぼ全体が平面スピーカー３０の振動板３１よりなる点検蓋２０の例であり、図５（ａ）（ｂ）に示した２例は、蓋板部２２の一部に平面スピーカー３０の振動板３１を組み込んだ点検蓋２０の例である。
【００１９】
図２（ａ）は点検蓋２０の平面図、図２（ｂ）は点検蓋２０の取付状態を示す縦断面図である。なお、図２（ａ）に平面図として示した面は、点検蓋２０を点検口１０に取り付けた際に室内空間を向く（天井部５の面に表れる）面である。
【００２０】
この点検蓋２０は、蓋本体２１の蓋板部２２のほとんどが平面スピーカー３０の振動板３１で構成されている。
【００２１】
図２に示した点検蓋２０は、図２（ａ）に示したように楕円形状とされ、周縁全周にフランジ部２３が形成されている。図２（ａ）における蓋本体２１のフランジ部２３に周囲を囲まれた部位は、点検口１０を塞ぐ蓋板部２２である。
【００２２】
平面スピーカー３０は、蓋板部２２の大部分を構成している平板状の振動板３１と、蓋板部２２の裏側に配した磁気回路３４とを備えている。これらの各部は、その磁気回路３４を固定し、振動板３１の外周側に設けたガスケット３９に周縁部を固定した、薄板の鉄鋼材などよりなるフレーム３７により連結されている。
【００２３】
振動板３１は、後述するように低音用振動板３１Ｌと高音用振動板３１Ｈとよりなる。それぞれの振動板３１Ｌ、３１Ｈは発泡樹脂や木材、金属、紙、ガラスなどの材料で形成されている。また、ハニカムパネル、アルミ複合板などの新素材で振動板３１Ｌ、３１Ｈを形成してもよい。振動板３１（後述する低音用振動板３１Ｌ）の外形は、点検口１０の形状に概ね合致した楕円形状とされる。
【００２４】
この平面スピーカー３０は、複合スピーカーであり、大口径の低音出力用の機構と、小口径の高音出力用の機構とを含んで構成されている。具体的には、磁気回路３４として低音用磁気回路３４Ｌと高音用磁気回路３４Ｈとを有し、振動板３１として低音用振動板３１Ｌと高音用振動板３１Ｈとを有した構造となっている。
【００２５】
低音用磁気回路３４Ｌは、センターボール３４ｂを含む円形のバックプレート３４ａと、リング状のマグネット３４ｃと、リング状のトッププレート３４ｄとを有して構成されている。この低音用磁気回路３４Ｌのセンターポール３４ｂの下面の中央には凹部３４ｅが形成され、この凹部３４ｅに高音用磁気回路３４Ｈが結合されている。
【００２６】
高音用磁気回路３４Ｈは、低音用磁気回路３４Ｌの構成と同様に、センターボール３４ｂを含む円形のバックプレート３４ａと、リング状のマグネット３４ｃと、リング状のトッププレート３４ｄとを備えて構成されている。
【００２７】
低音用磁気回路３４Ｌにはフレーム３７が結合されている。このフレームの周縁部にはガスケット３９とともに低音用エッジ３２Ｌが結合され、この低音用エッジ３２Ｌには、図２（ａ）に示したような楕円リング状の低音用振動板３１Ｌが結合されている。この低音用振動板３１Ｌの中央の孔部には、高音用エッジ３２Ｈを介して楕円形状の高音用振動板３１Ｈが配されている。
【００２８】
低音用振動板３１Ｌとフレーム３７の周縁部とにおける固定は、接着剤等の接合によりなされており、低音用磁気回路３４Ｌ、両振動板３１Ｌ、３１Ｈおよびフレーム３７とにより形成された内部空間は音漏れしない程度の密閉空間となっている。図２（ｂ）に示すように、高音用磁気回路３４Ｈはこの密閉空間内に配されている。
【００２９】
低音用磁気回路３４Ｌの磁気ギャップにはボイスコイル３５が結合され、このボイスコイル３５が巻きつけられた円筒状の伝達部材３６が低音用振動板３１Ｌに結合されている。また、伝達部材３６の中間部はダンパー３８によってフレーム３７に接続され、保持されている。
【００３０】
また、高音用振動板３１Ｈの磁気ギャップにもボイスコイル３５が結合され、このボイスコイル３５が巻きつけられた円筒状の伝達部材３６が高温用振動板３１Ｈに結合されている。
【００３１】
こうして、低音用磁気回路３４Ｌとボイスコイル３５から発生した駆動力により低音用振動板３１Ｌを振動させ、また高温用磁気回路３４Ｈとボイスコイル３５から発生した駆動力により高温用振動板３１Ｈを振動させることで音を発生させるようになっている。
【００３２】
このような点検蓋２０は、フランジ部２３を点検口１０の設置部１１に載せ置き、蓋板部２２（振動板３１）で点検口１０を塞ぐように配したときには、振動板３１の全面が浴室内空間を向く。また、蓋板部２２の蓋面（室内側を向いた面）はその周囲の天井部５の面とほぼ面一に配されるようになっている。つまり、点検蓋２０と、その周囲の天井部５とは、それらの間の隙間を介して、ほぼ同一高さ面となっている。
【００３３】
このように、平面スピーカー３０が点検蓋２０に組み込まれているので、スピーカーの取り付けのためだけに天井部５や壁部４を加工する必要がなく、取り付けの手間を省くことができ、施工の容易化を図ることができる。
【００３４】
また、蓋板部２２は両エッジ３２Ｌ、３２Ｈを含み概ね平板であるため、点検蓋２０で点検口１０を塞いだ状態では振動板３１の色や柄を天井部５に合わせれば振動板３１は天井部５の一部としてほとんど違和感がない。よって、むき出しとなった振動板３１によって美感が損なわれるおそれもほとんどない。また、蓋本体２１の蓋板部２２の蓋面のほぼ全体が振動板３１で構成されているので、振動板３１を点検蓋２０の寸法に合わせて大きくすることができる。このように、蓋板部２２の蓋面のほぼ全体が振動板３１で構成された場合でも、蓋面が周囲の天井部５の面とほぼ面一となっているため、スピーカー自体が目立ちにくい。ようするに、点検蓋２０は点検口１０に取り付けた、たんなる蓋としてしか認識されないという可能性が高い。
【００３５】
なお、蓋板部２２は低音用振動板３１Ｌ、高音用振動板３１Ｈ、低音用エッジ３２Ｌおよび高音用エッジ３２Ｈを含み、それらが蓋面に表れるため、それらを露出させないように蓋板部２２にカバーを被せるようにしてもよい。
【００３６】
図３に示した例は、蓋板部２２の全体が平面スピーカ３０ーの振動板３１で構成された点検蓋２０の例である。図３（ａ）は点検蓋２０の平面図、図３（ｂ）は点検蓋２０の取付状態を示す縦断面図である。なお、図３（ａ）に平面図として示した面は、点検口１０に取り付けた際に室内空間を向く（天井部５面に表れる）面である。
【００３７】
この点検蓋２０は、蓋本体２１の蓋板部２２の全体が平面スピーカー３０の振動板３１で構成されている。
【００３８】
図３に示した点検蓋２０は、図３（ａ）に示したように楕円形状とされ、周縁全周にフランジ部２３が形成されている。図３（ａ）における蓋本体２１のフランジ部２３に周囲を囲まれた部位は、点検口１０を塞ぐ蓋板部２２である。
【００３９】
平面スピーカー３０は、蓋板部２２の全体を構成している平板状の振動板３１と、蓋板部２２の裏側に配した磁気回路３４とを備えている。その磁気回路３４は、薄板の鉄鋼材などよりなるフレーム３７の中央部に固定され、そのフレーム３７の周縁部に振動板３１の裏側の外周端面が固定されている。
【００４０】
振動板３１は、点検口１０の形状に合致した楕円形状とされ、発泡樹脂や木材、金属、紙、ガラスなどの材料またはハニカムパネル、アルミ複合板などの新素材で形成されている。
【００４１】
振動板３１とフレーム３７の周縁部における固定は、接着剤等の接合によりなされており、振動板３１とフレーム３７との間に形成された内部空間は音漏れしない程度の密閉空間となっている。図３（ｂ）に示すように、磁気回路３４はこの密閉空間にフレーム３７に固定された状態に配されている。
【００４２】
この磁気回路３４の詳細な構成、構造については、図２（ｂ）に示した低音用磁気回路３４Ｌ、高音用磁気回路３４Ｈと概ね同じであるため、詳細な図示および説明を省略する。
【００４３】
磁気回路３４の磁気ギャップにはボイスコイル３５が結合され、このボイスコイル３５が巻きつけられた円筒状の伝達部材３６が振動板３１に結合されている。また、伝達部材３６の中間部はダンパー３８によってフレーム３７に接続され、保持されている。
【００４４】
この伝達部材３６の下端には折曲された水平平坦部３６ａが形成されており、この水平平坦部３６ａが振動板３１の中央部に接合されている。こうして、磁気回路３４とボイスコイル３５から発生した駆動力により、振動板３１を振動させることで音を発生させるようになっている。
【００４５】
また、このような水平平坦部３６ａを有しているため、この水平平坦部３６ａを、図２でも用いられている従来技術のエッジ（低音用エッジ３２Ｌ、高音用エッジ３２Ｈ）に代えて用いることができる。この平面スピーカー３０にはエッジを形成しなくてよいため、蓋板部２２の全体に振動板３１を設けることができる。
【００４６】
このような点検蓋２０は、図２に示した例と同様、フランジ部２３を設置部１１に載せ置き蓋板部２２（振動板３１）で点検口１０を塞ぐように配されたときには、振動板３１の全面が浴室内空間を向く。また、蓋板部２２の蓋面（室内側を向いた面）はその周囲の天井部５の面とほぼ面一に配されるようになっている。
【００４７】
このように、平面スピーカー３０が点検蓋２０に組み込まれているので、スピーカーの取り付けのためだけに天井部５や壁部４を加工する必要がなく、取り付けの手間を省くことができ、施工の容易化を図ることができる。また、浴室１にスピーカーを取り付ける場合には、狭い天井部５を有効に活用できるので、本点検蓋２０の利便性は高い。
【００４８】
また、平面スピーカー３０の振動板３１は凹凸なく大きな平板で形成されているため、点検蓋２０で点検口１０を塞いだ状態では振動板３１の色や柄を天井部５に合わせれば振動板３１は天井部５の一部として違和感を感じることはほとんどない。よって、むき出しとなった振動板３１によって美感が損なわれるおそれもほとんどない。また、蓋本体２１の蓋板部２２の蓋面の全体が振動板３１で構成されているので、振動板３１を点検蓋２０の寸法に合わせて大きくすることができる。このように、蓋板部２２の蓋面の全体が振動板３１で構成された場合でも、蓋面が周囲の天井部５の面とほぼ面一となっているため、スピーカー自体が目立ちにくい。ようするに、点検蓋２０は点検口１０に取り付けた、たんなる蓋としてしか認識されないという可能性が高い。
【００４９】
また、図３の点検蓋２０はエッジがなく、蓋板部２２の蓋面全体を平板な振動板３１で形成できるため、美感にすぐれている。さらに、点検蓋２０の蓋面全体が振動するので音響効果も大きい。もちろん、振動板３１にカバーを被せるようにしてもよい。
【００５０】
このように、本点検蓋２０により、浴室１をすぐれた音響空間として簡易な方法で利用することができる。なお、上記実施形態のように本点検蓋２０を浴室１に設置する場合には、平面スピーカー３０の主要部を防水、防滴処理することが望ましいことは言うまでもない。
【００５１】
また上述したように、図２、図３に例示した点検蓋２０、２０は蓋板部２２の蓋面のほぼ全体が振動板３１で構成されているため、振動板３１を点検蓋２０の寸法に合わせて大きくすることができる。そのため低音域の出力には効果的である。スピーカーが平面スピーカー３０であるため、図２、図３の例のように蓋面のほぼ全体に振動板３１を配したとしても、奥行き方向にはかさばらず、取り外し、取り付けなどの取り扱いがしにくくなるおそれはない。
【００５２】
また、図２、図３に例示した楕円形状の点検蓋２０、２０はその外形が点検口１０の楕円形状に合致した形状となっているため、図４に示したような取り付け、取り外し態様で点検蓋１０を天井部５の点検口１０に対して出し入れすればよい。具体的には、たとえば図４（ｂ）に示すように、点検口１０の長径方向に点検蓋２０の長径方向を概ね直交させるようにして出し入れすればよい。
【００５３】
点検蓋２０の形状が正円であれば、点検蓋２０の向きを変えても当然にその外形に変化はない。よって、点検口１０と点検蓋２０の形状が正円であれば、さらに点検蓋２０にフランジ部２３が形成してあれば、点検蓋２０を点検口１０に出し入れすることはほとんどできない。しかしながら、本点検口１０および本点検蓋２０の外形が楕円形状であるため、蓋板部２２の全周側にフランジ部２３が形成されていても、図４（ｂ）のように点検蓋２０を向きを変えることで確実に出し入れすることができる。なお、出し入れを確実とするためには、図４（ｂ）に示すように、点検口１０の長径Ｒ１の寸法が、フランジ部２３を含む点検蓋２０の短径Ｒ２の寸法よりも大である必要があることは言うまでもないことである。
【００５４】
このように、点検口１０および点検蓋２０の形状を楕円形状とすることで、点検蓋２０の出し入れがしにくくなることはなく、天井裏の点検および平面スピーカー３０（図２など参照）の整備を簡易、迅速に行うことができる。
【００５５】
また、点検口１０および点検蓋２０の形状としては、方形、六角形などの非正円形状（正円以外の形状）のものであってもよい。もちろん、点検口１０および点検蓋２０の形状は正円であってもよい。その場合には、点検口１０の形状を点検蓋２０の蓋板部２２の外形よりもわずかにでも大きい正円とし、さらに点検口１０の周縁の適所にフランジ部２３を出し入れできる通過口などを設ければよい。
【００５６】
また、図２、図３に例示した点検蓋２０、２０の振動板３１の外形は蓋板部２２の楕円形状に合致した形状となっているが、磁気回路３４と同様に正円形状であってもよい。その場合には、外形が楕円形状の枠に振動板３１を嵌め込んで蓋板部２２を構成すればよい。
【００５７】
図５（ａ）（ｂ）は、点検蓋２０の他の２例を示した平面図である。これらは、正円形状の振動板３１を枠板２２ａに取り付けて構成された蓋板部２２を有した点検蓋２０である。図４（ａ）の点検蓋２０は１枚の振動板３１を備え、図５（ｂ）の点検蓋２０は２枚の振動板３１、３１を備えている。
【００５８】
これら点検蓋２０の蓋本体２１には、図中に破線で示すように、たとえば図３に示した磁気回路３４が振動板３１に対応して組み込まれている。また、蓋本体２１は蓋板部２２の外周側にフランジ部２３を備えている。
【００５９】
なお、図５（ａ）（ｂ）に示した振動板３１は正円であるが、振動板３１を枠板２２ａに取り付けて点検蓋２０を楕円形状としたうえで点検口１０に出し入れするようになっているため、振動板３１の形状として特段の問題はない。
【００６０】
また、点検蓋２０は、浴室１以外の天井部５に設けた点検口１０に取り付けてもよいし、種々の壁部４（図１参照）や床部に設けた点検口に取り付けてもよい。浴室１に限られず、キッチンや洗面所、リビング、居室、事務所などの天井部や壁部４、床部などの種々の屋内構造物の点検口１０に本点検蓋２０を取り付けてもよい。
【００６１】
また、点検蓋２０は、点検口１０を開ける際に取り外しできるものには限られない。たとえば、点検口１０の開口縁にヒンジ結合されて開閉自在としたものでもよいし、天井裏に取り付けられてスライド開閉を自在としたものでもよい。
【符号の説明】
【００６２】
５          天井部（屋内構造物）
１０        点検口
２０        スピーカー付き点検蓋（点検蓋）
２１        蓋本体
２２        蓋板部
３０        平面スピーカー
３１        振動板
【図１】
2016156239.tif 000003
【図２】
2016156239.tif 000004
【図３】
2016156239.tif 000005
【図４】
2016156239.tif 000006
【図５】
2016156239.tif 000007